(57)【要約】      （修正有）【課題】上面にトッププレートを有する機器の操作性を向上し誤操作を防止する。【解決手段】トッププレート裏面に遮光性と導電性を有する導電性皮膜で形成された電極部を含む静電式タッチキーと、電極部の一部を切り抜いたキー表示部に対して電極部の裏面側から光を照射する操作部発光体と、トッププレート越しに見えるキー表示部の形状の発光状態が変化するよう操作部発光体の発光制御をする発光制御部とを備える。静電式タッチキーは、トッププレートに形成された天面操作部３に設けられ、天面操作部３は操作部発光体が発光していない時にキー表示部の形状が見えにくくなるように着色され、静電式タッチキーが操作されると、発光制御部は操作部発光体の点滅をして、操作を受け付けたことをユーザーに知らせることにより、ユーザーは入力操作が受け付けられたことを確認できずに、同じ操作を何度も行うという無駄な操作を防ぐことができる。【選択図】図４Ｃ
2012052797.tif 000002
【特許請求の範囲】
【請求項１】
機器上面に設けられたトッププレートと、前記トッププレート裏面に形成され所定の遮光性を有する導電性皮膜で構成された電極部を備え割り当てられた機能の実行を指示する静電式タッチキーと、前記電極部に交流信号を加え前記電極部に対向する前記トッププレートの部分に触れることにより生じる前記電極部の大地に対する静電容量の変化を検知する操作検知部と、前記電極部に向け前記トッププレートと反対の方向から光を照射する操作部発光体と、前記操作部発光体の発光制御をする発光制御部と、を備え、前記静電式タッチキーは、前記電極部の内側に前記導電性皮膜を設けない部分を前記導電性皮膜で囲んで形成したキー表示部を有し、前記発光制御部は、前記操作部発光体を発光させ、前記操作部発光体から照射された光を前記電極部が遮光し前記キー表示部が透過させることにより、前記トッププレート越しに発光した前記キー表示部が視認される構成とした加熱調理器であって、前記静電式タッチキーは、前記トッププレートに形成された天面操作部に設けられ、前記天面操作部は前記操作部発光体が発光していない時に前記キー表示部の形状が見えにくくなるように着色され、前記静電式タッチキーが操作されると、前記発光制御部は前記操作部発光体の点滅をして、操作を受け付けたことをユーザーに知らせることを特徴とする加熱調理器。
【請求項２】
前記キー表示部は、枠状または環状に形成され前記静電式タッチキーの操作範囲を示す領域表示部を有することを特徴とする請求項１に記載の加熱調理器。
【請求項３】
前記キー表示部は、前記静電式タッチキーに割り当てられた機能を表示する機能表示部を有することを特徴とする請求項１に記載の加熱調理器。
【請求項４】
一連の操作手順及び前記操作手順に従って操作をする際の前記操作部発光体の発光状態を決定する操作案内情報が記憶された記憶部を備え、前記発光制御部は、前記記憶部から入力する前記操作案内情報に応じて前記操作部発光体の発光状態を変更することを特徴とする請求項１に記載の加熱調理器。
【請求項５】
前記天面操作部は、着色された結晶化セラミックで形成したトッププレートの部分で構成されてなることを特徴とする請求項１に記載の加熱調理器。
【請求項６】
前記天面操作部は、前記トッププレート裏面に着色された印刷膜を形成したことを特徴とする請求項１に記載の加熱調理器。
【請求項７】
前記天面操作部は、前記トッププレート裏面にハーフミラー効果を有する皮膜を形成したことを特徴とする請求項１に記載の加熱調理器。
【請求項８】
前記電極部の前記トッププレート側の色と前記操作部発光体を光らせていない時の前記電極部側の前記操作部発光体の色を同色にしたことを特徴とする請求項１に記載の加熱調理器。
【請求項９】
音声発生部を備え、前記操作部発光体の発光状態の意図する内容を説明する音声を前記音声発生部が発生することを特徴とする請求項４に記載の加熱調理器。
【発明の詳細な説明】
【技術分野】
【０００１】
本発明は、操作誘導機能を備えた加熱調理器に関するものである。
【背景技術】
【０００２】
従来のこの種の操作誘導機能を備えた電子機器１００のブロック構成図を、図９に示す。電子機器１００はデータバス１０１を有している。このデータバス１０１には記憶部１０２が接続され、当該電子機器１００の仕様書内容に匹敵する操作案内情報が記憶される。操作案内情報は当該電子機器１００の操作手順を予め決めて作成したものである。
【０００３】
記憶部１０２には読み出し専用メモリ（ＲＯＭ）が使用される。この記憶部１０２にはデータバス１０１を通して表示部１０３が接続され、記憶部１０２から読み出された操作案内情報が表示される。この例で、操作案内情報は、所望の機能を実現するために、一連の操作手順が階層構造を成している。表示部１０３には液晶表示装置（以下ＬＣＤともいう）が使用される。
【０００４】
この表示部１０３にはデータバス１０１を通して選択部１０４が接続され、表示部１０３に表示された操作案内情報の中から所望の項目を選択させるために、ユーザーによって操作される。この例では、当該電子機器１００の所望の機能を選択させるための被選択項目が表示部１０３に表示され、複数の機能の中から所望の機能を選択させるために、選択部１０４がユーザーによって操作される。
【０００５】
この選択部１０４には、データバス１０１及びＩ／Ｏインターフェース部１０５を通して発光操作体１０６が接続され、この選択部１０４の操作によって特定の発光操作体１０６が光るようになっている。この例では、発光操作体１０６には、少なくとも、プッシュ式の押しボタン、ジョグダイアルのような回転体、カセット収納体などの蓋体、及びＣＤトレイのようなテーブル体が含まれる。
【０００６】
個々の発光操作体１０６には色付きの光源が取り付けられる。光源には発光ダイオードが使用される。発光ダイオードは注意を喚起するために点滅される。
【０００７】
従って、この点滅によって発光操作体１０６の取り付け位置をユーザーに知らしめることができる。しかも、表示部１０３にその発光操作体１０６の名称を表示することにより、マニュアルを読まなくても、その発光操作体１０６の名称と取り付け位置を認知することができる。
【０００８】
このデータバス１０１には音発生部１０７が接続され、点滅された部位の発光操作体１０６を操作することにより、例えば、「ピッ」というような確認音を鳴らす。
【０００９】
この確認音「ピッ」は、ユーザーに対して「確かに指定された押しボタン等が押下された」ことを確認させるためである。この押しボタンの押下操作は、次の操作案内情報を記憶部１０２から表示部１０３へ読み出すためのトリガとなっている。
【００１０】
なお、点滅されていない部位の発光操作体１０６を操作したときに、「ピッ、ピッ・・・」というような警告音を鳴らすようにしてもよい。音発生部１０７は「ピッ」という確認音や、「ピッ、ピッ・・・」という警告音を発生する音声処理回路１０７Ａ及びこれらの確認音や警告音を発生するスピーカー１０７Ｂを有している。オーディオ機器では音声処理回路１０７Ａ及びスピーカー１０７Ｂを具備しているので、これを共用してもよい。
【００１１】
この音発生部１０７にはデータバス１０１を通して制御部１０８が接続される。制御部１０８によって、発光操作体１０６の操作を確認するように音発生部１０７が発生制御される。制御部１０８にはＣＰＵ（中央演算装置）などが使用される。また、制御部１０８によって次の操作手順を表示するように表示部１０３が制御されると共に、次の操作を示す発光操作体１０６を光らせるように発光制御する。発光操作体１０６を光らせる順序は操作手順に合うように、予め記憶部１０２に記憶されている。
【００１２】
このデータバス１０１には、記憶部１０２、表示部１０３、選択部１０４、Ｉ／Ｏインターフェース部１０５、音発生部１０７及び制御部１０８の他に、モード選択部１０９が接続され、操作案内モード又は非操作案内モードを選択させるために操作される。ここで操作案内モードとは電子機器１００の機能動作の実行に至る操作を誘導するモードをいい、非操作案内モードとは操作案内誘導を実行しないモードをいう。
【００１３】
この電子機器１００は、通常動作時には非操作案内モードになっている。操作案内機能を使用したい時のみ、モード選択部９により操作案内モードを選択する。従って、モード選択部１０９により、非操作案内モードを選択する必要はない。
【００１４】
また、頻繁に使用しない機能を動作させるときに、電子機器１００の操作方法を忘れる場合がある。また、仕様書を紛失してしまう場合がある。このような場合には、その仕様書を読み返さなくても、モード選択部１０９によって操作案内モードを選択することにより、操作案内機能を利用することができる。
【００１５】
このデータバス１０１には機能動作対象１１０が接続される。機能動作対象１１０とは、電子機器１００によって制御される本来の機能を果す部分をいう（例えば、特許文献１参照）。例えば、加熱調理器ならば加熱源、すなわち誘導加熱コイル、シーズヒータ、ニクロム線、マグネトロンなどである。
【先行技術文献】
【特許文献】
【００１６】
【特許文献１】特開２００１−５１７７７号公報
【発明の概要】
【発明が解決しようとする課題】
【００１７】
しかしながら、前記従来の構成では、プッシュ式の押しボタン、ジョグダイアルのような回転体などの発光操作体が発光しない状態で常にユーザーの目に触れており、色付きの光源で操作可能な操作部発光体のみを発光させても、その意図に気づかないユーザーは、発光していない発光操作体を操作してしまうという課題を有していた。
【００１８】
また、発光しておらず有効ではない発光操作体を操作した場合には、「ピッ、ピッ・・・」というような警告音を鳴らすという誤操作の対策もなされているが、警告音は故障やタイマーの終了など、誤操作以外の報知を連想させ、ユーザーを混乱させてしまうという課題を有していた。
【００１９】
本発明は、前記従来の課題を解決するもので、誤動作を防止する加熱調理器を提供する。
【課題を解決するための手段】
【００２０】
そのために、本発明の加熱調理器は、機器上面に設けられたトッププレートと、トッププレート裏面に形成され所定の遮光性を有する導電性皮膜で構成された電極部を備え割り
当てられた機能の実行を指示する静電式タッチキーと、電極部に交流信号を加え電極部に対向するトッププレートの部分に触れることにより生じる電極部の大地に対する静電容量の変化を検知する操作検知部と、電極部に向けトッププレートと反対の方向から光を照射する操作部発光体と、操作部発光体の発光制御をする発光制御部と、を備え、静電式タッチキーは、電極部の内側に導電性皮膜を設けない部分を導電性皮膜で囲んで形成したキー表示部を有し、発光制御部は、操作部発光体を発光させ、操作部発光体から照射された光を電極部が遮光しキー表示部が透過させることにより、前記トッププレート越しに発光した前記キー表示部が視認される構成とした加熱調理器であって、静電式タッチキーは、トッププレートに形成された天面操作部に設けられ、天面操作部は操作部発光体が発光していない時にキー表示部の形状が見えにくくなるように着色され、静電式タッチキーが操作されると、発光制御部は操作部発光体の点滅をして、操作を受け付けたことをユーザーに知らせるものである。
【００２１】
これによって、操作部発光体が発光するとトッププレートにキー表示部が光って浮かび上がることにより、ユーザーは静電式タッチキーの機能と正確な操作位置を容易に識別することができる。また、操作部発光体を光らさないことでキー表示部はユーザーに見えないようにすることができる。例えば、静電式タッチキーが操作不可能な状態にある場合に、操作部発光体を光らさないようにすれば、ユーザーは点灯している静電式タッチキーのみを選択して操作することになるので誤操作を防止する。
【００２２】
また、静電式タッチキーが操作されると、発光制御部は操作部発光体の点滅をして、操作を受け付けたことをユーザーに知らせる。これによって、ユーザーは、ユーザーの操作を受け付けたことを操作部発光体が点滅することより視覚的に確認することができ、入力操作が受け付けられたことを確認できずに、同じ操作を何度も行うという無駄な操作を防ぐことができる。
【００２３】
また、操作する毎に操作部発光体の発光状態を変えるように制御することも可能である。例えば、現時点の静電式タッチキーの有効性や優先順位等に応じて電極部に設けた表示部の発光状態を変えることができる。ユーザーは、操作手順が実行される毎に切り替わりながら表示されるキー表示部で構成された案内画面表示を見ながら発光したキー表示部のあるトッププレート部分を押し下げて操作して行けば、仕様書などを読まなくとも、複数の操作手順から必要な操作手順を容易に選択し当該電子機器を正しく動作させることができる。
【００２４】
しかも、ユーザーの目に触れるキー表示部は電極部に形成されるので、ユーザーは見えるキー表示部自身を押し下げ操作すればよく誤操作する可能性が少なくなる。また、電極部の周囲に静電式タッチキーを光らせるための表示専用の平面的スペースを必要としない。
【００２５】
これにより、複数の静電式タッチキーの中から必要なものを選択して操作する場合、または静電式タッチキーの数を減らすため１つの静電式タッチキーを共用操作して複数の機能が実行できるようにした場合、ユーザーは、容易に必要な静電式タッチキーを選択して誤動作なく操作を行う事が可能になり使い勝手を向上させることができる。
【発明の効果】
【００２６】
本発明によれば、操作部発光体が発光した時の電極部のキー表示部の形状がより鮮明となり発光していないとき見えないので見栄えが良く視認性が向上すると共に、ユーザーは、ユーザーの操作を受け付けたことを操作部発光体が点滅することより視覚的に確認することができ、入力操作が受け付けられたことを確認できずに、同じ操作を何度も行うという無駄な操作を防ぐことができる。
【図面の簡単な説明】
【００２７】
【図１】本発明の実施の形態１、参考の形態１、２における加熱調理器を示す外観図
【図２】本発明の実施の形態１、参考の形態１、２における加熱調理器のトッププレートを示す上面図
【図３】本発明の実施の形態１、参考の形態１、２における操作部を示すブロック図
【図４Ａ】導光板消灯時の操作部を示す上面図
【図４Ｂ】導光板消灯時の操作部を示す斜視図
【図４Ｃ】導光板点灯時の操作部を示す上面図
【図４Ｄ】導光板点灯時の操作部を示す斜視図
【図５Ａ】天面操作部の一部において全ての導光板が発光した状態を示す上面図
【図５Ｂ】天面操作部の一部において１つの導光板が発光した状態を示す上面図
【図５Ｃ】天面操作部の一部において２つの導光板が発光した状態を示す上面図
【図６Ａ】参考の形態１の天面操作部の一部において、全ての導光板が低輝度で発光した状態を示す上面図
【図６Ｂ】１つの導光板が高輝度で発光した状態を示す上面図
【図６Ｃ】２つの導光板が高輝度で発光した状態を示す上面図
【図７】参考の形態２の加熱調理器における操作部を示すブロック図
【図８Ａ】参考の形態２の天面操作部の一部において全ての導光板が発光し、１つの導光板が点滅した状態を示す上面図
【図８Ｂ】天面操作部３の一部において全ての導光板が低輝度で発光し、２つの導光板が点滅した状態を示す上面図
【図９】従来例にあげる加熱調理器である電子機器を示すブロック構成図
【発明を実施するための形態】
【００２８】
本発明は、機器上面に設けられたトッププレートと、トッププレート裏面に形成され所定の遮光性を有する導電性皮膜で構成された電極部を備え割り当てられた機能の実行を指示する静電式タッチキーと、電極部に交流信号を加え電極部に対向するトッププレートの部分に触れることにより生じる電極部の大地に対する静電容量の変化を検知機器の動作を指示する操作検知部と、電極部に向けトッププレートと反対の方向から光を照射する操作部発光体と、操作部発光体の発光制御をする発光制御部と、を備え、静電式タッチキーは、電極部の内側に導電性皮膜を設けない部分を導電性皮膜で囲んで形成したキー表示部を有し、発光制御部は、操作部発光体を発光させ、操作部発光体から照射された光を電極部が遮光しキー表示部が透過させることにより、前記トッププレート越しに発光した前記キー表示部が視認される構成とした加熱調理器であって、静電式タッチキーは、トッププレートに形成された天面操作部に設けられ、天面操作部は操作部発光体が発光していない時にキー表示部の形状が見えにくくなるように着色され、静電式タッチキーが操作されると、発光制御部は操作部発光体の点滅をして、操作を受け付けたことをユーザーに知らせる加熱調理器とする。これによって、操作部発光体が発光するとトッププレートにキー表示部が光って浮かび上がることにより、ユーザーは静電式タッチキーの機能と正確な操作位置を容易に識別することができる。また、操作部発光体を光らさないことでキー表示部はユーザーに見えないようにすることができる。例えば、静電式タッチキーが操作不可能な状態にある場合に、操作部発光体を光らさないようにすれば、ユーザーは点灯している静電式タッチキーのみを選択して操作することになるので誤操作を防止する。また、操作する毎に操作部発光体の発光状態を変えるように制御することも可能である。例えば、現時点の静電式タッチキーの有効性や優先順位等に応じて電極部に設けた表示部の発光状態を変えることができる。ユーザーは、操作手順が実行される毎に切り替わりながら表示されるキー表示部で構成された案内画面表示を見ながら発光したキー表示部のあるトッププレート部分を押し下げて操作して行けば、仕様書などを読まなくとも、複数の操作手順から必要な操作手順を容易に選択し次の操作を行うことができる。ユーザーの目に触れるキー
表示部は電極部に形成されるので、ユーザーは見えるキー表示部自身を押し下げ操作すればよく誤動作の可能性も少なくなる。また、電極部の周囲に静電式タッチキーを光らせるための表示専用の平面的スペースを必要としない。これにより、複数の静電式タッチキーの中から必要なものを選択して操作する場合、または静電式タッチキーの数を減らすため１つの静電式タッチキーを共用操作して複数の機能が実行できるようにした場合、ユーザーは、容易に必要な静電式タッチキーを選択して誤動作なく操作を行う事が可能になり使い勝手を向上させることができる。
【００２９】
また、静電式タッチキーは、トッププレートに形成された天面操作部に設けられ、天面操作部は操作部発光体が発光していない時にキー表示部の形状が見えにくくなるように着色されている。これによって、操作部発光体が発光した時の電極部のキー表示部の形状がより鮮明となり発光していないとき見えないので見栄えが良く視認性が向上する。
【００３０】
また、静電式タッチキーが操作されると、発光制御部は操作部発光体の点滅をして、操作を受け付けたことをユーザーに知らせる。これによって、ユーザーは、ユーザーの操作を受け付けたことを操作部発光体が点滅することより視覚的に確認することができ、入力操作が受け付けられたことを確認できずに、同じ操作を何度も行うという無駄な操作を防ぐことができる。
【００３１】
また本発明は、キー表示部は、枠状または環状に形成され静電式タッチキーの操作範囲を示す領域表示部を有する。これによって、操作部発光体が発光した時、静電式タッチキーの操作範囲が浮かび上がるのでユーザーはその範囲を明確に認識できる。また、領域表示部の内側の電極部は領域表示部の外側の電極部と容量結合により電気的に接続するので電極部としての作用を発揮させることができる。また、電極部の導電性被膜を印刷により形成すれば、領域表示部を見栄え良く形成することができる。
【００３２】
また本発明は、キー表示部は、静電式タッチキーに割り当てられた機能を表示する機能表示部を有する。これによって、操作部発光体が発光したとき、静電式タッチキーの機能を表示する機能表示部が浮かび上がるのでユーザーはその機能を明確に認識できる。また、機能表示部の上のトッププレート部分に触れると外側の電極部と指が容量結合により電気的に接続するので機能表示部の上に触れても静電式タッチキーとしての機能を得ることができる。また、導電性被膜を印刷により形成すれば、機能表示部を見栄え良く形成することができる。
【００３３】
また、本発明は、一連の操作手順及び操作手順に従って操作をする際の操作部発光体の発光状態を決定する操作案内情報が記憶された記憶部を備え、発光制御部は、記憶部から入力する操作案内情報に応じて操作部発光体の発光状態を変更する。これによって、選択された操作手順にしたがって、静電式タッチキーのキー表示部の発光状態を変えながら使用者の操作を導くことができる。
【００３４】
また、天面操作部は、着色された結晶化セラミックで形成したトッププレートの部分で構成されてなる。これによって、天面操作部に、電極部やキー表示部を見えにくくするための着色用の印刷膜を形成する必要がない。
【００３５】
また本発明は、天面操作部は、トッププレート裏面に着色された印刷膜を形成する。これによって、トッププレートの材料を共通にして印刷膜の色または被膜の厚さを変えるだけで天面操作部の色や光の透過度を変えることができる。また、トッププレートに部分的に着色した窓で天面操作部を形成することが容易であり、天面操作部の窓内に静電式タッチキーを形成することにより、天面操作部の範囲を容易に識別できる。
【００３６】
また本発明は、天面操作部は、トッププレート裏面にハーフミラー効果を有する薄膜を形成する。これによって、トッププレートの材料を共通にしてハーフミラー膜の色または被膜の厚さを変えるだけで天面操作部の色や光の透過度、反射度を変えることができる。また、トッププレートに天面操作部として部分的に、周囲と異なる色に着色されたハーフミラー効果を有する窓を形成すること、あるいは部分的にハーフミラー効果を有する窓を着色することが容易であり、その窓内に静電式タッチキーを形成することができる。これにより天面操作部の範囲を容易に識別できる。
【００３７】
また本発明は、電極部のトッププレート側の色と操作部発光体を光らせていない時の電極部側の操作部発光体の色を同色にする。これによって、操作部発光体を光らせていない時は電極部とのトッププレート側の色が同色であるため、キー表示部はユーザーには見えにくく、当該静電式タッチキーが操作される可能性が少なく、また見栄えがよくなる。操作可能な操作部の操作部発光体が点灯した時は、キー表示部が明るく発光するため、キー表示部の文字、図、または記号などの形状が見えるようになる。
【００３８】
また本発明は、音声発生部を備え、操作部発光体の発光状態の意図する内容を説明する音声を音声発生部が発生する。これによって、ユーザーは視覚、聴覚の両方から次の操作の情報を得ることができ、容易にかつ正確に次の操作を行うことができる。
【００３９】
以下、本発明の実施の形態及び参考の形態について、図面を参照しながら説明する。なお、本実施の形態及び参考の形態によって、本発明が限定されるものではない。
【００４０】
（実施の形態１）
図１は、本発明の実施の形態１における加熱調理器の外観図である。
【００４１】
図１において、この加熱調理器の主たる構成要素は、被加熱物（図示せず）を載置するため加熱調理器の機器上面に設けられ、光透過性を有する結晶化セラミックからなる耐熱ガラスなど、耐熱性が高い電気絶縁物で板状に形成されたトッププレート２、トッププレート２下面に形成された印刷膜で円状に表示された加熱部１、加熱部１の手前側のトッププレート２に形成された天面操作部３、加熱調理器の機器前面に配置された出没可能なカンガルー操作部４である。加熱部１の下方の機器内部には、加熱部１と対向するように設けられ高周波磁界を発生する誘導加熱コイル（図示せず）が設けられる。
【００４２】
トッププレート２に関しては、少なくとも天面操作部３は黒色に着色され他は全体が銀色に着色されている。天面操作部３は着色するため光透過性の低い色の印刷膜がトッププレート２の裏面に形成されており、トッププレート２下にある発光体が発光している時はその光が見えるが、消灯している時は発光体が見えにくい構造になっている。なお、着色する方法はこれに限定されない。印刷膜を形成する代わりに、例えばハーフミラー効果を有する蒸着膜を形成しても良く、着色膜を形成する代わりにトッププレート２の材料、例えば結晶化セラミック、自身が着色されていてもよい。この場合には、天面操作部３に、電極部５ｂやキー表示部５ｃ、５ｄを見えにくくするための着色用の印刷膜を形成する必要がない。天面操作部３は図１のように窓を形成してトッププレート２の他の部分と色が異なっていても良いし、同一でもよい。例えばトッププレート２全体が濃い茶色でその一部を天面操作部３としてもよい。この場合には、天面操作部３を明るい線の枠を印刷して囲って表示してもよい。天面操作部３を示す窓の表示はなくても良い。天面操作部３を示す窓が存在する場合には、ユーザーは静電式タッチキー５のある範囲を容易に識別することができる。
【００４３】
図２は実施の形態１の加熱調理器のトッププレート２を上から見た図を示すものであり、図３は本発明の加熱調理器の実施の形態１の操作部のブロック図である。
【００４４】
図３において、操作部の主な構成要素は、指５ａで押下操作されるトッププレート２の部分の下面に電極部５ｂを有する静電式タッチキー５、操作検知部６、電極部５ｂの下部から上方に向け光を照射する操作部発光体である導光板７、発光制御部８である。さらに、記憶部１２を有し、加熱調理器の仕様書内容に匹敵する操作手順の情報である操作案内情報が記憶されている。この発光制御部８は記憶部１２に記憶されている操作案内情報に従って、導光板７の発光を制御する。
【００４５】
静電式タッチキー５は、トッププレート２上の被加熱物（図示せず）を載置する面と対向する面、すなわちトッププレート２の裏面にある電極部５ｂと、トッププレート２を挟んで被加熱物（図示せず）載置面に触れられた指５ａとで、コンデンサを形成する。電極部５ｂには、操作検知部６内の発振回路（図示せず）により高周波電圧が印加されている。
【００４６】
操作検知部６は、指５ａが電極部５ｂ上方のトッププレート２上面に触れたときに、高周波電流をトッププレート２、指５ａを通して大地にバイパスし、電極部５ｂと共通電位間のインピーダンスが減少することにより電極部５ｂに現れる電圧が所定以上低下することを検知して、静電式タッチキー５に対する操作が行われたことを検知している。
【００４７】
図４Ａは導光板７消灯時の天面操作部３を示す上面図、図４Ｂは導光板７消灯時の天面操作部３を示す斜視図、図４Ｃは導光板７点灯時の天面操作部３を示す上面図、図４Ｄは導光板７点灯時の天面操作部３を示す斜視図である。
【００４８】
電極部５ｂは、銅箔などの光透過性の低い金属膜や黒色の導電性を有する導電性塗料など所定の遮光性を有する導電性皮膜で形成されているため、導光板７が発光してもトッププレート２上面に光が透過する事がないまたは透過しにくくなるようにすることができる。そこで、図４Ｂ、４Ｄの電極部５ｂに示すように、トッププレート２上に発光させて表示したい図形部分のみ導電性皮膜を取り除いてキー表示部５ｃ、５ｄを形成し、キー表示部５ｃ、５ｄを光が透過できるようにしている。なお、図４Ｂ、４Ｄで電極部５ｂのハッチングを付した部分はキー表示部５ｃ、５ｄであり、その部分の導電性皮膜が取り除かれていることを示す。
【００４９】
電極部５ｂ上の静電式タッチキー５が存在するトッププレート２の部分である天面操作部３は、トッププレート２の裏面に光透過性の低い色（例えば、黒色、濃い茶色、濃い赤色等）で印刷膜を形成してあるので、図４Ｂに示すように導光板７が消灯している場合は、図４Ａに示すようにトッププレート２の上面には何も見えない。図４Ｄに示すように導光板７が発光すると、電極部５ｂの導電性皮膜部分は、光が透過せずトッププレート２の色のままであるが、キー表示部５ｃ、５ｄは、導光板７の照射する光が透過して天面操作部３を構成する光透過性を有するトッププレート２と印刷膜をさらに透過するので、図４Ｃのようにキーの模様が浮かび上がり視認できる。なお、図４Ｃ、４Ｄでトッププレート２のハッチングを付した部分は、その部分が光っていることを示す。
【００５０】
これにより、静電式タッチキー５は下に配置する導光板７を点灯することで、静電式タッチキー５自体が発光したように見せている。
【００５１】
なお、図４Ａ〜４Ｄを使った説明では、電極部５ｂから導電性皮膜を取り除いた部分であるキー表示部５ｃ、５ｄを仮にそれぞれ三角、枠形状とし、このような形がトッププレート２の上面に見えるとした。しかしこれは、説明を分かりやすくするための一例であって、実際には図５Ａ〜５Ｃ、６Ａ〜６Ｃ、８Ａ、８Ｂに示すように、キー表示部５ｃ、５ｄは、枠の形状に導電性皮膜を取り除いた領域表示部５ｄと、様々な文字、記号または図
形の形に金属を取り除いて形成した機能表示部５ｃとで構成されている。したがって、このような静電式タッチキー５に割り当てられた機能を表示する機能表示部５ｃと静電式タッチキー５の操作範囲を示す領域表示部５ｄがトッププレート２の上面に見えるようにする。
【００５２】
そして、トッププレート２の一部の区域に配設された天面操作部３には、図４Ａ〜４Ｄで説明したような静電式タッチキー５が複数（図２に示す例では１４個）横に並んでそれぞれ同数の導光板７と組み合わされて設けられている。
【００５３】
従って、この天面操作部３を構成する静電式タッチキー５に含まれる導光板７が発光すると、天面操作部３であるトッププレート２の上面には、図２に示すような機能表示部５ｃの文字と領域表示部５ｄの枠が発光して見える。また、この天面操作部３が形成されているトッププレート２の部分は、光透過性の低い色の印刷膜が形成されているので、導光板７が点灯しない時には、天面操作板３が形成されたトッププレート２の部分の上面には何も見えない。なお、導光板７が点灯しない時には、天面操作板３が形成されたトッププレート２の部分の上面には何も見えないようにする代わりにキー表示部５ｃ、５ｄが見えにくくなるようにしてもよい。
【００５４】
図５Ａは天面操作部３の一部において全ての導光板７が発光した状態を示す上面図、図５Ｂは同じく天面操作部３の一部において１つの導光板７が発光した状態を示す上面図、図５Ｃは同じく天面操作部３の一部において２つの導光板７が発光した状態を示す上面図である。静電式タッチキー５ａａ〜５ｇｇは、各機能に対応した静電式タッチキー５を示している。
【００５５】
特に、静電式タッチキー５ｇｇはロック解除キー（以後、「ロック解除キー５ｇｇ」ともいう）であり、ロック状態にあり他のキーの操作が不可となっている機器のロック状態を解除するために使われる。静電式タッチキー５ｃｃは揚物開始キー（以後、「揚物開始キー５ｃｃ」ともいう）であり、ロック解除状態の時、被加熱物（図示せず）である鍋内の油温を所定の温度に保つように加熱出力を制御する揚物調理を開始する場合に用いる。静電式タッチキー５ｆｆは加熱開始キー（以後、「加熱開始キー５ｆｆ」ともいう）であり、ロック解除状態の時、揚物以外の加熱を開始する場合に用いる。
【００５６】
以上のように構成された加熱調理器について、以下その動作、作用を説明する。
【００５７】
まず、電源スイッチ４ａにより電源の投入または遮断が行われる。電源スイッチ４ａは信頼性を高めるため例えば機械式接点のものが用いられ、図１に示すように機器前面に設けるか、機器上面、あるいはカンガルー操作部４等に配設される。電源スイッチ４ａにより電源オフの状態となると、全ての静電式タッチキー５ａａ〜５ｇｇは操作不可能状態となる。電源スイッチ４ａによる電源投入後の所定時間（例えば数秒間）は、機器がどういう機能を持っているかをユーザーに知らせるために、図５Ａのように全ての静電式タッチキー５ａａ〜５ｇｇが点灯する（実際には静電式タッチキー５ａａ〜５ｇｇの下の導光板７が点灯しているが、静電式タッチキー５ａａ〜５ｇｇ自身が点灯しているように見え、このように説明する）。上記所定時間後、加熱調理器はロック状態に移行し、図５Ｂに示すようにロック解除キー５ｇｇのみが点灯する。この時、使用可能なキーはロック解除キー５ｇｇのみである。ユーザーがロック解除キー５ｇｇを操作すると、操作検知部６は、ロック解除キー５ｇｇの操作を検知し、ロック解除キー５ｇｇが操作された事を、発光制御部８に知らせる。
【００５８】
発光制御部８は、ロック状態からロック解除キー５ｇｇが押された場合はロック解除状態となり、記憶部１２に記憶されている操作案内情報に従って、揚物開始キー５ｃｃと加
熱開始キー５ｆｆのみが操作可能であることを判定する。そして、発光制御部８は、図５Ｃに示すように、ロック解除キー５ｇｇを消灯し、揚物開始キー５ｃｃと加熱開始キー５ｆｆを点灯させるように導光板７を制御する。そして、揚物開始キー５ｃｃと加熱開始キー５ｆｆのいずれかを操作すると、それぞれに割り当てられた機能を発揮するように、加熱コイルによる加熱部１での加熱動作が開始される。
【００５９】
静電式タッチキー５の発光するキー表示部５ｃ、５ｄを押し下げ操作することにより、操作命令を受け付けるので、受け付けたときにキー表示部５ｃ、５ｄを点滅するとよい。操作を受け付けたことをユーザーは視覚的に確認することができるので、入力操作が受け付けられたことを確認できずに、同じ操作を何度も行うという無駄な操作を防ぐことができる。
【００６０】
ユーザーは、はじめのロック状態では、点灯しているロック解除キー５ｇｇを操作し、次にロックが解除されると、現れた揚物開始キー５ｃｃと加熱開始キー５ｆｆを操作するといったように、操作可能なキーが天面操作部３を見るだけで理解できるので、操作仕様書を見ながら操作をする必要がなくなる。また、操作可能な静電式タッチキー５のみが点灯するので、その他の無効なキーを操作する誤操作がなくなる。
【００６１】
また、キー表示部を構成する枠状に形成され静電式タッチキーの操作範囲を示す領域表示部５ｄを有するので、導光体７が発光した時、静電式タッチキー５の操作範囲が浮かび上がり、ユーザーはその範囲を明確に認識できる。また、領域表示部５ｄの内側の電極部５ｂは領域表示部５ｄの外側の電極部５ｂと容量結合により電気的に接続するので、操作検知部６から高周波電圧を領域表示部５ｄの外側の電極部５ｂに加えても、領域表示部５ｄの内側の電極部５ｂも電極部としての作用を発揮させることができる。また、導電性被膜を印刷により形成すれば、領域表示部５ｄを見栄え良く形成することができる。領域表示部５ｄの形状は、枠状に限定されない。例えば環状に形成しても良いし、連続的な線で形成する必要はなく破線のような形状にしても良い。
【００６２】
キー表示部は、静電式タッチキー５に割り当てられた機能を表示する機能表示部５ｃを有するので、導光体７が発光したとき、静電式タッチキー５の機能を表示する機能表示部５ｃが浮かび上がるのでユーザーはその機能を明確に認識できる。また、機能表示部５ｃの上のトッププレート２に触れるとその外側の電極部５ｂと指が容量結合により電気的に接続するので機能表示部５ｃの上に触れても静電式タッチキー５としての機能を得ることができる。また、電極部５ｂの導電性被膜を印刷により形成すれば、機能表示部５ｃを見栄え良く形成することができる。
【００６３】
また、ユーザーの目に触れるキー表示部５ｃ、５ｄは電極部５ｂに形成されるので、ユーザーは見えるキー表示部自身５ｃ、５ｄを押し下げ操作すればよく誤動作の可能性も少なくなる。また、電極部５ｂの周囲に静電式タッチキー５を光らせるための表示専用の平面的スペースを必要としない。これにより、複数の静電式タッチキー５の中から必要なものを選択して操作する場合、または静電式タッチキー５の数を減らすため１つの静電式タッチキー５を共用操作して複数の機能が実行できるようにした場合、ユーザーは、容易に必要な静電式タッチキー５を選択して誤動作なく操作を行う事が可能になり使い勝手を向上させることができる。
【００６４】
なお、電源スイッチ４ａによる電源投入後の所定時間、上記のように全ての静電式タッチキー５ａａ〜５ｇｇが点灯するように構成する代わりに、所定の静電式タッチキー、例えば、使用頻度の高い機能あるいは重要な機能に関係する静電式タッチキーを選択して表示しても良い。
【００６５】
なお、本発明の実施の形態１において、加熱調理器の一種である高周波電流を誘導加熱コイルに供給して被加熱物を高周波磁界により誘導加熱する誘導加熱調理器により説明したが、トッププレートを上面に配置し、ガス、ハロゲン、ニクロム線、またはシーズヒータなど他の熱源を利用して加熱調理を行う加熱調理器にも同様に適用できる。
【００６６】
（参考の形態１）
本発明の参考の形態１の加熱調理器の主要な外観と構成は、図１〜３と同様であり、図１〜３を兼用して詳細な説明を省略する。
【００６７】
図６Ａは、参考の形態１の加熱調理器の天面操作部３の一部において、全ての導光板７が所定の低い輝度である輝度２で発光した状態を示す上面図、図６Ｂは１つの導光板７が輝度２よりも高い所定の輝度である輝度１で発光した状態を示す上面図、図６Ｃは２つの導光板７が所定の高い輝度である輝度１で発光した状態を示す上面図である。静電式タッチキー１１ａａ〜１１ｇｇは、各機能に対応した静電式タッチキー５を示している。
【００６８】
特に、静電式タッチキー１１ｇｇはロック解除キー（以後、「ロック解除キー１１ｇｇ」ともいう）であり、ロック状態にあり、他のキーの操作が不可となっている機器のロックを解除するために使われる。静電式タッチキー１１ｃｃは揚物開始キー（以後、「揚物開始キー１１ｃｃ」ともいう）であり、ロック解除状態の時、揚物調理を開始する場合に用いる。静電式タッチキー１１ｆｆは加熱開始キー（以後、「加熱開始キー１１ｆｆ」ともいう）であり、ロック解除状態の時、揚物調理以外の加熱を開始する場合に用いる。さらに、記憶部１２を有し、加熱調理器の仕様書内容に匹敵する操作手順の情報である操作案内情報が記憶されている。そして、発光制御部８は操作可能な静電式タッチキー５の導光体７を所定の高輝度である輝度１で発光させ、操作不可能の導光体７は輝度１よりも低い所定の輝度である輝度２で発光させるように制御する。この発光制御部８は記憶部１２に記憶されている操作案内情報に従って、導光板７の発光を制御する。
【００６９】
以上のように構成された加熱調理器について、以下その動作、作用を説明する。
【００７０】
まず、加熱調理器は、電源投入後の所定時間は、機器がどういう機能を持っているかをユーザーに知らせるために、図６Ａのように全てのキー１１ａａ〜１１ｇｇが同じ低い所定の輝度である輝度２で点灯する。なお、この場合、輝度２より高い輝度である輝度１で点灯してもよい。輝度２で点灯すると優先順位の低い表示であることをユーザーに認識させることができる。
【００７１】
上記所定時間後、加熱調理器はロック状態に移行し、図６Ｂのようにロック解除キー１１ｇｇのみが所定の高輝度である輝度１で点灯する。この時、使用可能なキーはロック解除キー１１ｇｇのみである。ユーザーがロック解除キー１１ｇｇを操作すると、操作検知部６は、ロック解除キー１１ｇｇの操作を検知し、ロック解除キー１１ｇｇが操作された事を、発光制御部８に知らせる。発光制御部８は、ロック状態からロック解除キー１１ｇｇが押された場合はロック解除状態となり、記憶部１２に記憶されている操作案内情報に従って、揚物開始キー１１ｃｃと加熱開始キー１１ｆｆのみが操作可能であることを判定する。そして図６Ｃに示すように、ロック解除キー１１ｇｇを元の輝度２に戻し、揚物開始キー１１ｃｃと加熱開始キー１１ｆｆを高輝度である輝度１で点灯させる。さらに、それ以外のキーを、揚物開始キー１１ｃｃと加熱開始キー１１ｆｆを点灯している輝度よりも低い輝度である輝度２にするように、導光板７を制御する。
【００７２】
ユーザーは、はじめのロック状態では、高輝度（輝度１）で点灯しているロック解除キー１１ｇｇを操作し、次にロックが解除されると、高輝度（輝度１）で点灯しはじめた揚物開始キー１１ｃｃまたは加熱開始キー１１ｆｆを操作するといったように、操作可能な
静電式タッチキー５が天面操作部３を見るだけで理解できるので、操作仕様書を見ながら操作をする必要がなくなる。また、操作可能な静電式タッチキー５のみが高輝度（輝度１）で点灯するので、その他の無効なキーを操作する誤操作が少なくなる。
【００７３】
（参考の形態２）
本発明の参考の形態２の加熱調理器の主要な外観と構成は、図１〜３と同様であり、図１〜３を兼用して詳細な説明を省略する。
【００７４】
図７は本発明の加熱調理器の参考の形態２の操作部のブロック図である。
【００７５】
図７において、操作部の主な構成要素は、加熱調理器の操作手順を記憶する記憶部１２、音声発生部１３、指１４ａによって押下操作される電極部１４ｂを有する静電式タッチキー１４、誘導操作切替部１５である。
【００７６】
静電式タッチキー１４は、トッププレート２上の被加熱物（図示せず）を載置する面と対向する面にある電極部１４ｂと、トッププレート２を挟んで被加熱物（図示せず）載置面にある指１４ａとで、コンデンサを形成している。電極部１４ｂには、高周波電圧が印加されている。
【００７７】
操作検知部６は、指１４ａが電極部１４ｂ上方のトッププレート２上面に触れたときに、発振回路（図示せず）により高周波電圧をトッププレート２、指１４ａを通して大地にバイパスし、電極部１４ｂと上記発振回路の共通電位間のインピーダンスが減少することにより電極部１４ｂに現れる電圧が所定以上低下することを検知して、操作が行われたことを検知している。
【００７８】
以上のように構成された加熱調理器について、以下その動作、作用を説明する。
【００７９】
図８Ａは、参考の形態２の加熱調理器の天面操作部３の一部において、全ての導光板７が高輝度で発光し、１つの導光板７が点滅した状態を示す上面図、図８Ｂは全ての導光板７が低輝度で発光し、２つの導光板７が点滅した状態を示す上面図である。
【００８０】
静電式タッチキー１４ｇｇはロック解除キー（以後、「ロック解除キー１５ｇｇ」ともいう）であり、ロック状態にあり、他のキーの操作が不可となっている機器のロック状態を解除するために使われる。静電式タッチキー１４ｃｃは、揚物開始キー（以後、「揚物開始キー１４ｃｃ」ともいう）であり、ロック解除状態の時、揚物調理を開始する場合に用いる。静電式タッチキー１４ｆｆは加熱開始キー（以後、「加熱開始キー１４ｆｆ」ともいう）であり、ロック解除状態の時、揚物調理以外の加熱を開始する場合に用いる。
【００８１】
揚物開始キー１４ｃｃと加熱開始キー１４ｆｆでは、使用頻度は加熱開始キー１４ｆｆの方が高く、操作の誘導は加熱開始キー１４ｆｆを優先する。それぞれの状態でどのキーが操作可能であり、複数のキーが操作可能な場合はどのキーが使用頻度が高く、誘導を優先的に行うかといった情報は記憶部１２に予め記憶されている。
【００８２】
加熱調理器において、図８Ａに示すロック状態の場合、発光制御装置８は操作可能なキーがロック解除キー１４ｇｇである事を記憶部１２より受け取り、ロック解除キー１４ｇｇのみが０．５ｓ周期で点滅するよう、導光板７を制御する。更に、発光制御部８は、音声発生部１３にユーザーに操作を促すメッセージの発生指令を出し、音声発生部１３からメッセージが発生される。
【００８３】
なおこの時、図８Ａに示すように、機器がどういう機能を持っているかをユーザーに知
らせるために一定時間全ての静電式タッチキーが点灯する。しかしながら、このような実施の形態に限るものではなく、必ずしも全ての静電式タッチキーが点灯しなくても構わない。
【００８４】
ユーザーがロック解除キー１４ｇｇを操作すると、操作検知部６はロック解除キー１４ｇｇの操作を検知し、ロック解除キー１４ｇｇが操作された事を、発光制御部８に知らせる。発光制御部８は、ロック状態からロック解除キー１４ｇｇが押された場合は、ロック解除状態となり、揚物開始キー１４ｃｃと加熱開始キー１４ｆｆのみが操作可能であることを判定し、ロック解除キー１４ｇｇの点滅状態を解除する。その後、発光制御部８は操作可能なキーが揚物開始キー１４ｃｃと加熱開始キー１４ｆｆであること、その中でも加熱開始キー１４ｆｆを優先的に誘導することを記憶部１２より受け取る。そして、図８Ｂに示すように揚物開始キー１４ｃｃは１．０秒周期、加熱開始キー１４ｆは０．５秒周期というように、点滅周期を変えて点滅するよう、導光板７を制御する。更に、発光制御部８は、音声発生部１３にユーザーに操作を促すメッセージ、または導光体７の発光状態（この場合は点滅周期の差）の意図する内容を説明するメッセージの発生指令を出し、音声発生部１３から対応するメッセージが発生される。音声発生部１３からの補足説明のメッセージにより容易にかつ正確に次の操作を行うことができる。
【００８５】
なおこの時、図８Ｂに示すように、揚物開始キー１４ｃｃと加熱開始キー１４ｆｆ以外の静電式タッチキーが低輝度で点灯する。しかしながら、このような実施の形態に限るものではなく、必ずしも低輝度で点灯しなくても構わない。
【００８６】
ユーザーは点滅周期の早いキーを優先的に操作する事を、天面操作部３を見るだけで理解できるので、操作仕様書を見ながら操作をする必要がなくなる。また、操作可能な静電式タッチキー１４のみが点滅するので、その他の無効なキーを操作する、誤操作が少なくなる。
【００８７】
また、ユーザーが誘導操作切替部１５を操作して、誘導操作を無効にした場合は、図５Ａに示すように、全ての静電式タッチキーは機器の状態に関わらず点灯したままとなり、誘導操作を行わない。ユーザーがキーの機能と操作方法を習得した場合は、誘導操作を行わない事で、キーの点滅など誘導操作をわずらわしいと考えるユーザーの要望に対応することができる。誘導操作切替部１５は、図示していないが加熱調理器の外面に設けられる。例えば、カンガルー操作部に誘導操作切替部１５としてのスイッチを設けても良いし、他の部分に設けても良くその形態は特に限定されない。
【００８８】
以上の実施の形態及び参考の形態では、トッププレート２には結晶化セラミックなどで形成された耐熱ガラスを用いたが、透明樹脂を用いても良い。トッププレート２に印刷膜を形成して着色することに代え、トッププレー２トにハーフミラー加工の印刷膜や蒸着膜を形成することにより、または電極部５ｂのトッププレート２側の色と導光板７の消灯時の色を同色としても、同様に導光板７の消灯時にキー表示部が見えにくくなるようにすることができる。
【産業上の利用可能性】
【００８９】
本発明の加熱調理器の操作部は、上面にトッププレートを備えた誘導加熱調理器に特に有用であるが、その他のガスやハロゲンなどの熱源を備えた加熱調理器の操作部として利用できる。ユーザーは製品の仕様書を見なくとも次にどの操作をすればいいのかがわかるので、スムーズな操作が可能になる。また、無効な静電式タッチキーはユーザーの目に触れないので、誤操作を減らす事ができる。さらに、通常は静電式タッチキーが見えず、使用時のみ静電式タッチキーが現れるので、操作部分のデザイン性が改善する。
【符号の説明】
【００９０】
２    トッププレート
３    天面操作部
４ａ    電源スイッチ
５，１４    静電式タッチキー
５ｂ    電極部
５ｃ    機能表示部（キー表示部）
５ｄ    領域表示部（キー表示部）
６    操作検知部
７    導光板（操作部発光体）
８    発光制御部
１２    記憶部
１３    音声発生部
１５    誘導操作切替部
【図１】
2012052797.tif 000003
【図２】
2012052797.tif 000004
【図３】
2012052797.tif 000005
【図４Ａ】
2012052797.tif 000006
【図４Ｂ】
2012052797.tif 000007
【図４Ｃ】
2012052797.tif 000008
【図４Ｄ】
2012052797.tif 000009
【図５Ａ】
2012052797.tif 000010
【図５Ｂ】
2012052797.tif 000011
【図５Ｃ】
2012052797.tif 000012
【図６Ａ】
2012052797.tif 000013
【図６Ｂ】
2012052797.tif 000014
【図６Ｃ】
2012052797.tif 000015
【図７】
2012052797.tif 000016
【図８Ａ】
2012052797.tif 000017
【図８Ｂ】
2012052797.tif 000018
【図９】
2012052797.tif 000019